(57)【要約】      （修正有）【課題】簡単な構造を備えて低コストであり、確実に蜂を捕獲して簡単に処理でき、粘着面に捕獲された蜂に人が触れたり、粘着面が設置した建造物の壁等に触れることを確実に防止する蜂捕獲具を提供する。【解決手段】粘着面を備えた捕獲部１１Ａ、及びこの捕獲部１１Ａの一端部に所定の角度をなして配置された捕集部１１Ｂを備える捕獲部材１０と、背板部３１、及び背板部３１の一端部に所定の角度をなして延設される棚部３２を備え、背板部３１の棚部３２を設置した側に捕獲部１１Ａを設置可能であり、かつ、棚部３２に捕集部１１Ｂを設置可能とした捕獲部材設置部３０と、捕獲部材設置部３０における捕獲部材１０の設置側に設けられ、捕獲部材１０を覆うカバー部材２１とを備え、カバー部材２１は、蜂の進入を許容する開口部６１，６２，６３，６４と、開口部６１，６２，６３，６４の輪郭を形成して人の手指の進入を防止する枠部とを備える蜂捕獲具２０。【選択図】図２
2020048445.tif 000002
【特許請求の範囲】
【請求項１】
粘着面を備えた捕獲部、及びこの捕獲部の一端部に所定の角度をなして配置された捕集部を備える捕獲部材と、
背板部、及びこの背部の一端部に所定の角度をなして延設される棚部を備え、前記背板部の前記棚部を設置した側に前記捕獲部を設置可能であり、かつ、前記棚部に前記捕集部を設置可能とした捕獲部材設置部と、
前記捕獲部材設置部における前記捕獲部材の設置側に設けられ、前記捕獲部材を覆うカバー部材とを備え、
前記カバー部材は、蜂の進入を許容する開口部と、前記開口部の輪郭を形成して人の手指の進入を防止する枠部とを備えることを特徴とする蜂捕獲具。
【請求項２】
前記捕集部には粘着材が配置されていることを特徴とする請求項１に記載の蜂捕獲具。
【請求項３】
前記捕獲部及び前記捕集部は、平板状、平板を湾曲した形状、又は平板を複数の折曲線で所定角度で折り曲げた形状のいずれかとしたことを特徴とする請求項１に記載の蜂捕獲具。
【請求項４】
前記捕獲部材は、方形状の板状基材の一方の面に粘着材が塗布された捕獲面が形成され、前記板状基材の両側辺部の中央位置を連結する中央線より前記両側辺部と直交に配置される他の側辺部のうち一方の側辺部側に位置し前記他の側辺部に沿って設定された折り曲げ箇所で折曲したとき、前記捕獲部と前記捕集部とを形成可能であることを特徴とする請求項１に記載の蜂捕獲具。
【請求項５】
前記カバー部材は、前記捕獲部材設置部を形成した箱状部材の稜部に枠部を残し、選択した面部に前記開口部を開設して構成したことを特徴とする請求項１に記載の蜂捕獲具。
【請求項６】
前記枠部は、前記捕獲部材設置部に複数の線状部材を組み合わせて生成した格子状部材を備えることを特徴とする請求項１に記載の蜂捕獲具。
【請求項７】
前記カバー部材は、開口を備える板状部材と、線状部材を組み合わせて形成した格子状部材とを組み合わせて形成したことを特徴とする請求項１に記載の蜂捕獲具。
【請求項８】
前記格子状部材は取り外し可能であることを特徴とする請求項６又は請求項７に記載の蜂捕獲具。
【請求項９】
前記捕獲部材が前記捕獲部材設置部から取り外し可能であることを特徴とする請求項１に記載の蜂捕獲具。
【請求項１０】
前記捕獲部材は平面長方形状に形成されていることを特徴とする請求項４に記載の蜂捕獲具。
【発明の詳細な説明】
【技術分野】
【０００１】
本発明は、蜂を安全に捕獲するための蜂捕獲具に関する。
【背景技術】
【０００２】
蜂としてスズメバチを例に説明する。一般に、スズメバチの駆除は、巣を除去し、巣の周囲に飛んでいるスズメバチを捕獲又は殺虫することで行われている。また、巣を除去する前において、巣の近くに配置することにより蜂の数を減ずることも行われている。更に、スズメバチを完全に駆除するためには、巣を離れていたスズメバチも併せて駆除をする必要があった。
【０００３】
しかしながら、巣を離れていたスズメバチは、巣を取り除いた後に、巣のあった場所にいつ戻るかがわからないことから、このような蜂を確実に捕獲し、駆除することが難しいという問題があった。
【０００４】
このような問題に鑑みて特許出願人は、以下の蜂捕獲具を提案している。この蜂捕獲具は、板状に形成され、蜂を捕獲する粘着面を有する捕獲部を備えた蜂捕獲具として、捕獲部の端部には折曲線部が形成され、折曲線部において折曲されることにより形成される蜂捕獲部本体部と、蜂捕獲部本体部に付着した蜂を収納できると共に、折曲線部を介して折曲することにより蜂捕獲部本体部に対して折り畳むことが可能に形成されている蜂収納部とを有したものである（特許文献１参照）。
【０００５】
この蜂捕獲具は、廃棄箱を別途設ける必要がなく、蜂を捕獲し収納することができ、更に、持ち運びが容易であると共に、狭い箇所にも設置することができ、その結果、コンパクトであり、かつ、低コストで製造することができるという有用な効果を備える。
【０００６】
しかし、特許文献１に記載のものは、粘着面が露出状態であり、捕獲された蜂に人が触れたり、設置状態によっては、蜂捕獲具が風等で回転して粘着面が設置した建造物の壁等に触れてしまい、取り外しが面倒であったり、建造物を汚したりする可能性がある。
【０００７】
また、小型害虫を捕獲する捕獲具として、開口部を備えて害虫が侵入可能な容器と、容器の内部に侵入した害虫を捕捉可能な捕捉手段とを備えた害虫捕獲器が提案されている。特許文献２には、容器及び捕捉手段を、その内表面の少なくとも一部に粘着層を有する粘着シートが害虫のみを内部に侵入させて益虫を侵入させない複数の選択的害虫侵入用開口部が配設された箱体又は筒体の構造となるように一体的に組み立てることによって、形成するものである。
【先行技術文献】
【特許文献】
【０００８】
【特許文献１】特開２０１８-９３８０７号公報
【特許文献２】特開２００７-１６７００９号公報
【発明の概要】
【発明が解決しようとする課題】
【０００９】
ここで、蜂捕獲に有効的である特許文献１に係る蜂捕獲具を使用して、捕獲した蜂に人が触れることを防止したり、設置箇所における他の物品の汚染を防止したりすることが要望されている。
【００１０】
しかし、特許文献１に係る蜂捕獲具は、特殊な構造を備えるものであるため、特許文献２に記載の構造を適用できない。
【００１１】
本発明は上述した課題に鑑みてなされたものであり、簡単な構造を備えて低コストであり、確実に蜂を捕獲して簡単に処理することができると共に、粘着面に捕獲された蜂に人が触れたり、粘着面が設置した建造物の壁等に触れてしまうことを確実に防止したりすることができる蜂捕獲具を提供することを目的とする。
【課題を解決するための手段】
【００１２】
前記課題を解決する請求項１に記載の発明は、粘着面を備えた捕獲部、及びこの捕獲部の一端部に所定の角度をなして配置された捕集部を備える捕獲部材と、背板部、及びこの背部の一端部に所定の角度をなして延設される棚部を備え、前記背板部の前記棚部を設置した側に前記捕獲部を設置可能であり、かつ、前記棚部に前記捕集部を設置可能とした捕獲部材設置部と、前記捕獲部材設置部における前記捕獲部材の設置側に設けられ、前記捕獲部材を覆うカバー部材とを備え、前記カバー部材は、蜂の進入を許容する開口部と、前記開口部の輪郭を形成して人の手指の進入を防止する枠部とを備えることを特徴とする蜂捕獲具である。
【００１３】
本発明によれば、蜂捕獲具において、捕獲部設置部材の背板部には捕獲部材の捕獲部を設置でき、同じく棚部には捕獲部材の捕集部が設置できる。そして、捕獲部材はカバー部材に覆われ、このカバー部材には蜂の侵入を許容する開口部と人の手指の侵入を阻止する枠部を備える。
【００１４】
このため、蜂はカバー部材の開口から入り込み、捕獲部材の粘着面で捕獲されるが、人の手指はカバー部材の枠部で開口からの侵入を阻止され、安全である。また、捕獲部材はカバー部材で覆われているため、周囲の建造物等に粘着面が接触することが防止される。更に、捕獲部と捕集部とで捕獲した蜂を挟んで安全に処理できる。
【００１５】
よって、本発明によれば、簡単な構造を備えて低コストであり、確実に蜂を捕獲して簡単に処理することができると共に、粘着面に捕獲された蜂に人が触れたり、粘着面が設置した建造物の壁等に触れたりしてしまうことを確実に防止することができる。
【００１６】
同じく請求項２に記載の発明は、請求項１に記載の蜂捕獲具において、前記捕集部には粘着材が配置されていることを特徴とする。
【００１７】
本発明によれば、捕集部にも粘着材が配置されているので、捕集部でも蜂を捕獲できるほか、捕獲部と捕集部とで蜂を挟んだとき捕獲部と捕集部とが確実に接合されるので、蜂を安全に処理できる。
【００１８】
同じく請求項３に記載の発明は、請求項１に記載の蜂捕獲具において、前記捕獲部及び前記捕集部は、平板状、平板を湾曲した形状、又は平板を複数の折曲線で所定角度で折り曲げた形状のいずれかとしたことを特徴とする。
【００１９】
請求項３に係る発明によれば、捕獲部及び捕集部は平板状、平板を湾曲した形状、又は平板を複数の折曲線で所定角度で折り曲げた形状のいずれかの形状にできる。
【００２０】
本発明によれば、捕獲部材の形状を蜂捕獲具の配置箇所や蜂の習性に応じて選択することができ、蜂を確実に捕獲、捕集できる。
【００２１】
同じく請求項４に記載の発明は、請求項１に記載の蜂捕獲具において、前記捕獲部材は、方形状の板状基材の一方の面に粘着材が塗布された捕獲面が形成され、前記板状基材の両側辺部の中央位置を連結する中央線より前記両側辺部と直交に配置される他の側辺部のうち一方の側辺部側に位置し前記他の側辺部に沿って設定された折り曲げ箇所で折曲したとき、前記捕獲部と前記捕集部とを形成可能であることを特徴とする。
【００２２】
請求項４に係る発明によれば、捕獲部材を折曲して捕獲部と捕集部とを簡単に形成でき、捕獲部を背板に捕集部を棚板に配置できる。よって、捕獲部材を一枚の部材で簡易に構成でき、蜂捕獲具を簡単な構造で特殊な材料を使用することなく低コストで製造できる。また、蜂捕獲部材を屈曲して、捕獲部と捕集部との間に捕獲した蜂を挟んで安全に処理できる。
【００２３】
同じく請求項５に記載の発明は、請求項１に記載の蜂捕獲具において、前記カバー部材は、前記捕獲部材設置部を形成した箱状部材の稜部に枠部を残し、選択した面部に前記開口部を開設して構成したことを特徴とする。
【００２４】
請求項５に係る発明によれば、カバー部材は捕獲部設置部を備えた箱状部材の所定の面部に稜部に枠部を残して開口を形成して構成できる。そして、折り曲げた捕獲部材を箱状部材に設置することで蜂捕獲具を構成できる。よって、段ボール箱等の一般的材料を使用して簡単に構成でき、低コストで製造できる。
【００２５】
同じく請求項６に記載の発明は、請求項１に記載の蜂捕獲具において、前記枠部は、前記捕獲部材設置部に複数の線状部材を組み合わせて生成した格子状部材を備えることを特徴とする。
【００２６】
請求項６に係る発明によれば、カバー部材は線状部材を組み合わせた格子状部材として形成できる。よって、一般的な材料で構成した線状部材である金属製針金、竹ひご、細い材木、合成樹脂材等を使用してカバー部材を簡単に構成でき低コストで製造できる。
【００２７】
同じく請求項７に記載の発明は、請求項１に記載の蜂捕獲具において、前記カバー部材は、開口を備える板状部材と、線状部材を組み合わせて形成した格子状部材とを組み合わせて形成したことを特徴とする。
【００２８】
請求項７に係る発明によれば、カバー部材は開口を備える板状部材と、格子状部材とを組み合わせて構成できる。よって、一般的な材料である段ボール板、金属製針金、竹ひご、細い材木、合成樹脂材等を使用してカバー部材を簡単に構成でき低コストで製造できる。
【００２９】
同じく請求項８に記載の発明は、請求項６又は請求項７に記載の蜂捕獲具において、前記格子状部材は取り外し可能であることを特徴とする。
【００３０】
請求項８に係る発明によれば、格子部材は取り外し可能としている。このため、格子状部材を取り外した状態で、捕獲部設置部に捕獲部を容易に設置、取り外しできる。
【００３１】
同じく請求項９に記載の発明は、請求項１に記載の蜂捕獲具において、前記捕獲部材が前記捕獲部材設置部から取り外し可能であることを特徴とする。
【００３２】
請求項９に係る発明によれば、捕獲部材を捕獲部設置部から取り外しせるので、蜂捕獲後において捕獲部材を取り外して処分した後、捕獲部設置部を含むカバー部材を再度使用でき、低コストでの運用が可能になる。
【００３３】
請求項１０に記載の発明は、請求項４に記載の蜂捕獲具において、前記捕獲部材は平面長方形状に形成されていることを特徴とする。
【００３４】
請求項１０に係る発明によれば、捕獲部は平面長方形状であるので、長辺に沿って設けられる捕獲部と捕集部の寸法を確保できる。
【発明の効果】
【００３５】
本発明に係る蜂捕獲具によれば、簡単な構造を備えて低コストであり、確実に蜂を捕獲して簡単に処理することができると共に、粘着面に捕獲された蜂に人が触れたり、粘着面が設置した建造物の壁等に触れたりしてしまうことを確実に防止することができる。
【００３６】
即ち、請求項１に係る蜂捕獲具によれば、蜂捕獲具において、捕獲部設置部材の背板部には捕獲部材の捕獲部が設置でき、同じく棚部には捕獲部材の捕集部が設置できる。そして、捕獲部材はカバー部材に覆われ、このカバー部材には蜂の侵入を許容する開口部と人の手指の侵入を阻止する枠部を備える。
【００３７】
このため、蜂はカバー部材の開口から入り込み、捕獲部材の粘着面で捕獲されるが、人の手指はカバー部材の枠部で開口からの侵入を阻止され、安全である。また、捕獲部材はカバー部材で覆われているため、周囲の建造物等に粘着面が接触することが防止される。更に、捕獲部と捕集部とで捕獲した蜂を挟んで安全に処理できる。
【００３８】
よって、本発明によれば、簡単な構造を備えて低コストであり、確実に蜂を捕獲して簡単に処理することができると共に、粘着面に捕獲された蜂に人が触れたり、粘着面が設置した建造物の壁等に触れたりすることを確実に防止することができる。
【００３９】
また、請求項２に記載の蜂捕獲具によれば、捕集部にも粘着材が配置されているので、捕集部でも蜂を捕獲できるほか、捕獲部と捕集部とで蜂を挟んだとき捕獲部と捕集部とが確実に接合されるので、蜂を安全に処理できる。
【００４０】
また、請求項３に記載の蜂捕獲具によれば、捕獲部及び捕集部は平板状、平板を湾曲した形状、又は平板を複数の折曲線で所定角度で折り曲げた形状のいずれかの形状にできる。よって、捕獲部材の形状を蜂捕獲具の配置箇所や蜂の習性に応じて選択することができ、蜂を確実に捕獲、捕集できる。
【００４１】
また、請求項４に記載の蜂捕獲具によれば、蜂捕獲部材を折曲して捕獲部と捕集部とを簡単に形成でき、捕獲部を背板に捕集部を棚板に配置できる。よって、捕獲部材を一枚の部材で簡易に構成でき、蜂捕獲具を簡単な構造で特殊な材料を使用することなく低コストで製造できる。また、蜂捕獲部材を屈曲して、捕獲部と捕集部との間に捕獲した蜂を挟んで安全に処理できる。
【００４２】
また、請求項５に係る蜂捕獲具によれば、カバー部材は、捕獲部設置部を備えた箱状部材の所定の面部に稜部に枠部を残して開口を形成して構成できる。そして、折り曲げた捕獲部材を箱状部材に設置することで蜂捕獲具を構成できる。よって、段ボール箱等の一般的材料を使用して簡単に構成でき、低コストで製造できる。
【００４３】
また、請求項６に係る蜂捕獲具によれば、カバー部材は、線状部材を組み合わせた格子状部材として形成できる。よって、一般的な材料で構成した線状部材である金属製針金、竹ひご、細い材木、合成樹脂材等を使用してカバー部材を簡単に構成でき低コストで製造できる。
【００４４】
また、請求項７に係る蜂捕獲具によれば、カバー部材は開口を備える板状部材と、格子状部材とを組み合わせて構成できる。よって、一般的な材料である段ボール板、金属製針金、竹ひご、細い材木、強瀬樹脂材等を使用してカバー部材を簡単に構成でき低コストで製造できる。
【００４５】
また、請求項８に係る蜂捕獲具によれば、格子部材は取り外し可能としている。このため、格子状部材を取り外した状態で、捕獲部設置部に捕獲部を容易に設置、取り外しできる。
【００４６】
更に、請求項９に記載の蜂捕獲具によれば、捕獲部材を捕獲部設置部から取り外しせるので、蜂捕獲後において捕獲部材を取り外して処分した後、捕獲部設置部を含むカバー部材を再度使用でき、低コストでの運用が可能になる。
【００４７】
そして、請求項１０に記載の蜂捕獲具によれば、捕獲部は平面長方形状であるので、長辺に沿って設けられる捕獲部と捕集部の寸法を確保できる。
【図面の簡単な説明】
【００４８】
【図１】本発明の実施形態に係る蜂捕獲具に使用する捕獲部材を示すものであり、（ａ）は伸張した状態を示す斜視図、（ｂ）は折り曲げた状態を示す斜視図である。
【図２】本発明の第１実施形態に係る蜂捕獲具を示す斜視図である。
【図３】同第１実施形態に係る蜂捕獲具を示すものであり、（ａ）は正面図、（ｂ）は側面図、（ｃ）は上面図である。
【図４】本発明の第２実施形態に係る蜂捕獲具を示す斜視図である。
【図５】同第２実施形態に係る蜂捕獲具を示すものであり、（ａ）は正面図、（ｂ）は側面図、（ｃ）は上面図である。
【図６】本発明の第３実施形態に係る蜂捕獲具を示す斜視図である。
【図７】同第３実施形態に係る蜂捕獲具を示すものであり、（ａ）は正面図、（ｂ）は側面図、（ｃ）は上面図である。
【図８】本発明に係る蜂捕獲具に使用する捕獲部材の変形例を示す斜視図である。
【発明を実施するための形態】
【００４９】
本発明を実施するための形態に係る蜂捕獲具を図面に基づいて説明する。
【００５０】
まず、本発明の実施形態に係る蜂捕獲具で使用する捕獲部材の一例について説明する。図１は本発明の実施形態に係る蜂捕獲具に使用する捕獲部材を示すものであり、（ａ）は伸張した状態を示す斜視図、（ｂ）は折り曲げた状態を示す斜視図である。この捕獲部材１０は後述する３つの実施形態に係る蜂捕獲具で共通して使用される。
【００５１】
図１（ａ）に示すように、捕獲部材１０は、厚紙で長方形状に形成され板状基材１３の一方の面に粘着材が塗布された粘着面１２を備える捕獲面１１を形成している。捕獲部材１０は、両側片部構成する長辺１０ｃ、１０ｄ、この長辺１０ｃ、１０ｄに直交する他方の側辺部を構成する短辺１０ａ、１０ｂを備え、各辺には折り返し部１４ａ、１４ｂ、１４ｃ、１４ｄが形成されている。
【００５２】
また、この捕獲部材１０は、２つの長辺１０ｃ、１０ｄの中央位置を連結する中央線Ｏより一方の短辺１０ｂ側に位置し短辺１０ａ、１０ｂに沿って設定された折り曲げ箇所である折曲線１５が直線状に形成されている。また、捕獲部材１０は、中央線Ｏも折曲線として捕獲部材１０の折曲が可能に構成される。なお、符号１６は、捕獲部材１０を折り曲げて畳んだとき、捕獲面１１どうしが接合しないようにする凸部である。
【００５３】
蜂捕獲具に使用するとき、捕獲部材１０は、全体を折曲線１５で折り曲げて使用する。捕獲部材１０は、折曲線１５を境界として、図１（ａ）（ｂ）に示すように、捕獲部１１Ａと、捕集部１１Ｂとにわけられる。使用時には、捕獲部１１Ａを鉛直方向、捕集部１１Ｂを水平方向に向けて直角に折曲される。ここで、捕獲部材１０は、平面長方形状であるので、捕獲部１１Ａと、捕集部１１Ｂの短辺１０ｂに直交する方向の寸法を確保できる。
【００５４】
なお、捕獲部材１０として、捕獲部１１Ａと捕集部１１Ｂを別部材に構成することができる。この場合、捕獲部１１Ａ及び捕集部１１Ｂは、所定寸法の方形状厚紙で構成した板状基材に粘着材を塗布した捕獲面を形成して構成することができる。また、捕獲部材１０の板状基材は紙、合成樹脂、その他の板状の素材で形成できる。
【００５５】
また、捕集部１１Ｂには、粘着材を塗布しないことができる。この場合でも、捕獲部１１Ａで蜂を捕獲でき、捕獲部１１Ａと捕集部１１Ｂとで捕獲した蜂を挟んで安全に処理できる。更に、捕獲部１１Ａと捕集部１１Ｂとは直角なるように配置することができる他、他の任意の角度をなすように配置できる。
【００５６】
＜第１実施形態＞
以下、本発明の第１の実施形態に係る蜂捕獲具について説明する。図２は本発明の第１実施形態に係る蜂捕獲具を示す斜視図、図３は同第１実施形態に係る蜂捕獲具を示すものであり、（ａ）は正面図、（ｂ）は側面図、（ｃ）は上面図である。
【００５７】
第１実施形態に係る蜂捕獲具２０は、捕獲部材１０を、カバー部材２１に配置して構成される。カバー部材２１は、捕獲部材設置部３０と、枠部４０と、左側開口部６１、前側開口部６２、右側開口部６３、上側開口部６４を形成した直方体箱状の部材である。このカバー部材２１は、例えば段ボール製の箱状部材であり、左側開口部６１、前側開口部６２、右側開口部６３、上側開口部６４の周囲に枠体４１〜５１が形成されて構成されている。なお、カバー部材２１は、段ボール製に代え、異なる素材、例えば合成樹脂、金属、木材その他の材質製とすることができる。また、カバー部材２１の一部を開閉式の蓋部とし、捕獲部材１０の着脱用に開閉できる構成とすることができる。
【００５８】
即ち、本実施形態では、箱状のカバー部材２１の奥側板部を背板部３１とし、下側の板部を背板部３１の下側端部から水平方向に延設した棚部３２として捕獲部材設置部３０を形成する。なお、カバー部材２１の奥側、手前側、右側、左側、上側、下側は、図２に示した方向を示す。なお、棚部３２は水平方向の他、背板部３１に対して９０度以外の角度を持って配置することができる。
【００５９】
そして、カバー部材２１の左側の板部には、左側開口部６１を開設し、手前側板部には前側開口部６２を開設し、右側板部には右側開口部６３を開設し、上側板部には上側開口部６４を開設する。これにより、左側開口部６１、前側開口部６２、右側開口部６３、上側開口部６４の周囲には、各開口の輪郭をなしカバー部材２１の稜部を含む枠部４０が形成される。枠部４０は、１１つの枠体４１、４２、４３、４４、４５、４６、４７、４８、４９、５０、５１を備える。
【００６０】
左側開口部６１、前側開口部６２、右側開口部６３、上側開口部６４は、捕獲対象である蜂が通過できる大きさである。また、これらの開口部に手指を差し込むことは可能ではあるが、左側開口部６１、前側開口部６２、右側開口部６３、上側開口部６４は枠部４０で囲われているため、手指の進入を防止することができる。なお、開口部の形状、個数等は適宜変更できる。
【００６１】
そして、蜂捕獲具２０には、蜂捕獲具２０を吊すための吊り下げ部材５５が配置されている。吊り下げ部材５５は紐、針金等で形成することができる。
【００６２】
この構成を備える蜂捕獲具２０を使用するには、捕獲部材設置部３０に捕獲部材１０を配置する。設置箇所は、蜂の巣を撤去した後の場所、或いは巣を撤去する前の巣の近くが好適である。このとき、捕獲部材１０は、カバー部材２１の左側開口部６１、前側開口部６２、右側開口部６３、上側開口部６４のいずれか、又はカバー部材２１に形成した開閉部から挿入して配置する。このとき、捕獲部材１０の捕獲部１１Ａを背板部３１に、捕集部１１Ｂを棚部３２に配置し固定する。固定は、両面テープ、接着材、クリップ等の接合具を使用することができる。
【００６３】
そして、捕獲部材１０を配置した蜂捕獲具２０を捕獲箇所に配置する。配置は、吊り下げ部材５５を使用して蜂捕獲具２０を壁部に吊り下げることの他、棚部３２を設置面に配置する等により行う。
【００６４】
蜂捕獲具２０を配置した状態で風等により蜂捕獲具２０の姿勢が変化しても、捕獲面１１は枠部４０で覆われているので、粘着面１２が壁等に付着することはない。また、左側開口部６１、前側開口部６２、右側開口部６３、上側開口部６４は蜂が侵入可能な大きさであるので、蜂は左側開口部６１、前側開口部６２、右側開口部６３、上側開口部６４から侵入して捕獲部材１０で捕獲される。
【００６５】
そして、蜂が捕獲された後には、捕獲部材１０をカバー部材２１から取り出し、捕獲部材１０を中央線Ｏから２つに折り曲げる。これにより、捕獲された蜂は、折り曲げられた捕獲部材１０で挟まれ、捕獲部材１０と共に廃棄することができ、廃棄処理が容易になる。
【００６６】
本実施形態に係る捕獲部材１０は、段ボール製のカバー部材２１に捕獲部材１０を配置するだけで、簡単な構造を備えて低コストである。また、蜂の捕獲後において、捕獲部材１０を二つ折りにして確実に簡単に捕獲した蜂を処分することができる。更に、粘着面に捕獲された蜂に人が触れたり、粘着面が設置した建造物の壁等に触れたりしてしまうことを確実に防止することができる。
【００６７】
＜第２実施形態＞
次に本発明の第２の実施形態に係る蜂捕獲具について説明する。図４は本発明の第２実施形態に係る蜂捕獲具を示す斜視図、図５は同第２実施形態に係る蜂捕獲具を示すものであり、（ａ）は正面図、（ｂ）は側面図、（ｃ）は上面図である。
【００６８】
第２実施形態に係る蜂捕獲具７０は、捕獲部材１０を、カバー部材７１に配置して構成される。本実施形態に係るカバー部材７１は板状部材である枠部８０と、線状部材で構成した格子部９０とで構成される。即ち、カバー部材７１は、捕獲部材設置部３０と、枠部８０と、格子部９０を備えて構成される。このカバー部材７１には、左側開口部１０１、前側開口部１０２、右側開口部１０３が開設され、左側開口部１０１、前側開口部１０２、右側開口部１０３の周囲には、枠部８０を構成する枠体８１〜８７が形成されている。
【００６９】
本実施形態では、左側開口部１０１、右側開口部１０３は下側を底辺とする三角形状であり、前側開口部１０２は長方形状である。
【００７０】
また、左側開口部１０１には、格子部を構成する左横線状部材９１が、前側開口部１０２には、上下線状部材９２、９３が、右側開口部１０３には、右横線状部材９４が配置されている。左横線状部材９１、上下線状部材９２、９３、右横線状部材９４は枠体８１から取り外しすことができる状態で配置することができる。なお、線状部材の本数や配置箇所は適宜変更することができる。
【００７１】
そして、左横線状部材９１、上下線状部材９２、９３、右横線状部材９４を配置することで、左側開口部１０１及び右側開口部１０３は、上下に２分割され、前側開口部１０２は幅方向に３分割され、所定の大きさとなる。ことため、各開口の大きさは、蜂が侵入するのに充分であり、かつ手指の侵入を防止することができる。
【００７２】
ここで、カバー部材７１の捕獲部材設置部３０及び枠部８０は、段ボール箱を穴開け加工して形成できる他、段ボールと異なる素材、例えば合成樹脂、金属、木材その他の材質のもので形成することができる。また、左横線状部材９１、上下線状部材９２、９３、右横線状部材９４は、金属製の針金、合成樹脂線状部材、竹ひご、木製の線状部材等で形成することができる。
【００７３】
本実施形態では、カバー部材７１の奥側の板部を背板部３１とし、下側の板部を棚部３２として捕獲部材設置部３０を形成する。なお、カバー部材２１の奥側、手前側、右側、左側、上側、下側は、図４に示した方向を示す。なお、棚部３２は水平方向の他、背板部３１に対して９０度以外の角度を持って配置することができる。
【００７４】
そして、蜂捕獲具７０には、蜂捕獲具７０を吊すための吊り下げ部材８８が配置されている。吊り下げ部材８８は紐、針金等で形成することができる。
【００７５】
この構成を備える蜂捕獲具７０を使用するには、捕獲部材１０を捕獲部材設置部３０に配置する。このとき、捕獲部材１０は、カバー部材７１の前側開口部１０２から左横線状部材９１、上下線状部材９２、９３、右横線状部材９４のいずれかを取り外して配置することができる。そして、捕獲部材１０の捕獲部１１Ａを背板部３１に、捕集部１１Ｂを棚部３２に配置し固定する。固定は、両面テープ、接着材、クリップ等の接合具を使用することができる。
【００７６】
そして、捕獲部材１０を配置した蜂捕獲具７０を捕獲箇所に配置する。配置は、吊り下げ部材８８を使用して蜂捕獲具７０を壁部に吊り下げることの他、棚部３２を設置面に配置する等により行う。
【００７７】
蜂捕獲具７０を配置した状態で風等により蜂捕獲具７０の姿勢が変化しても、捕獲面１１は枠部８０で覆われているので、粘着面１２が壁等に付着することはない。また、左側開口部１０１、前側開口部１０２、右側開口部１０３は、左横線状部材９１、上下線状部材９２、９３、右横線状部材９４で分割され蜂が侵入可能な大きさであるので、蜂は左側開口部１０１、前側開口部１０２、右側開口部１０３から侵入して捕獲部材１０で捕獲される。
【００７８】
そして、蜂が捕獲された後には、捕獲部材１０をカバー部材７１から取り出し、捕獲部材１０を中央線Ｏから２つに折り曲げる。これにより、捕獲された蜂は、折り曲げられた捕獲部材１０で挟まれ、捕獲部材１０と共に廃棄することができ、廃棄処理が容易になる。
【００７９】
本実施形態に係る捕獲部材１０は、段ボール製及び針金製のカバー部材７１に捕獲部材１０を配置するだけで、簡単な構造を備えて低コストである。また、蜂の捕獲後において、捕獲部材１０を二つ折りにして確実に簡単に捕獲した蜂を処分することができる。更に、粘着面に捕獲された蜂に人が触れたり、粘着面が設置した建造物の壁等に触れたりしてしまうことを確実に防止することができる。
【００８０】
＜第３実施形態＞
次に本発明の第３の実施形態に係る蜂捕獲具について説明する。図６は本発明の第３実施形態に係る蜂捕獲具を示す斜視図、図７は同第３実施形態に係る蜂捕獲具を示すものであり、（ａ）は正面図、（ｂ）は側面図、（ｃ）は上面図である。
【００８１】
第３実施形態に係る蜂捕獲具１１０は、捕獲部材１０を、カバー部材１２０に配置して構成される。カバー部材１２０は、捕獲部材設置部３０と、格子状部材である格子部１３０を備えて構成される。
【００８２】
本実施形態では、捕獲部材設置部３０は、背板部３１と棚部３２でＬ字状に構成された部材であり、折曲線１５で折り曲げられた捕獲部材１０が配置される。なお、棚部３２は水平方向の他、背板部３１に対して９０度以外の角度を持って配置することができる。
【００８３】
本実施形態では、捕獲部材設置部３０に格子部１３０を取り外し可能に配置している。格子部１３０は、図６及び図７に示すように、格子部１３０の左側部において水平方向に配置される２本の左横線状部材１３１、１３２と、前側部において水平方向に配置される２本の前横線状部材１３３、１３４と、前側部において上下方向に配置される３本の上下方向線状部材１３５、１３６、１３７と、右側部において、水平方向に配置される２本の左横線状部材１３８、１３９とを接合して構成される。なお、奥側、手前側、右側、左側、上側、下側は、図６に示した方向を示す。
【００８４】
上下方向線状部材１３５、１３６、１３７は、背板部３１の上端縁と、棚部３２の前端縁とを連結する。また、左横線状部材１３１、１３２は、背板部３１の左端縁と上下方向線状部材１３５とを連結する。更に、左横線状部材１３８、１３９は、背板部３１の右端縁と上下方向線状部材１３７とを連結する。そして、前横線状部材１３３は、上下方向線状部材１３５、１３６、１３７、及び左横線状部材１３１、左横線状部材１３８に接続され、前横線状部材１３４は、上下方向線状部材１３５、１３６、１３７、及び左横線状部材１３２、左横線状部材１３９に接続されている。
【００８５】
これにより、蜂捕獲具１１０には、左側部に３分割された全体三角形状の左側開口部１４１が、前側部に６分割された全体長方形状の前側開口部１４２が、右側部に３分割された全体三角形状の右側開口部１４３が形成される。なお、格子部１３０の全体形状は前記形状に限らず直方体状等に適宜変更できる。また、各線状部材の本数や配置状態も適宜変更することができる。
【００８６】
捕獲部材設置部３０、段ボール板で形成できる他、段ボールと異なる素材、例えば合成樹脂、金属、木材その他の材質のもので形成することができる。また、左横線状部材１３１、１３２、前横線状部材１３３、１３４、上下方向線状部材１３５、１３６、１３７、左横線状部材１３８、１３９は、金属製の針金、合成樹脂線状部材、竹ひご、木製の線状部材で形成することができる。
【００８７】
そして、蜂捕獲具１１０には、蜂捕獲具１１０を吊すための吊り下げ部材１４４が配置されている。吊り下げ部材１４４は紐、針金等で形成することができる。
【００８８】
この構成を備える蜂捕獲具１１０を使用するには、捕獲部材１０を捕獲部材設置部３０に配置する。このとき、捕獲部材１０は、捕獲部材設置部３０から格子部１３０を取り外して配置することができる。そして、捕獲部材１０の捕獲部１１Ａを背板部３１に、捕集部１１Ｂを棚部３２に配置し固定する。固定は、両面テープ、接着材、クリップ等の接合具を使用することができる。
【００８９】
そして、捕獲部材１０を配置した蜂捕獲具１１０を捕獲箇所に配置する。配置は、吊り下げ部材１４４を使用して蜂捕獲具１１０を壁部に吊り下げることの他、棚部３２を設置面に配置する等により行う。
【００９０】
蜂捕獲具１１０を配置した状態で風等により蜂捕獲具１１０の姿勢が変化しても、捕獲部材１０は格子部１３０で覆われているので、粘着面１２が壁等に付着することはない。また、左側開口部１４１は、左横線状部材１３１、１３２で、前側開口部１４２は、前横線状部材１３３、１３４、上下方向線状部材１３６で、右側開口部１４３は左横線状部材１３８、１３９で分割されてはいるが蜂の進入を許容する大きさであるので、蜂は分割された左側開口部１４１、前側開口部１４２、右側開口部１４３から侵入して捕獲部材１０で捕獲される。また、左側開口部１４１、前側開口部１４２、右側開口部１４３は左横線状部材１３１、１３２、前横線状部材１３３、１３４、上下方向線状部材１３５、１３６、１３７、左横線状部材１３８、１３９で分割されているので、手指の挿入が防止される。
【００９１】
そして、蜂が捕獲された後には、捕獲部材１０をカバー部材１２０から取り出し、捕獲部材１０を中央線Ｏから２つに折り曲げる。これにより、捕獲された蜂は、折り曲げられた捕獲部材１０で挟まれ、捕獲部材１０と共に廃棄することができ、廃棄処理が容易になる。
【００９２】
本実施形態に係る捕獲部材１０は、段ボール製の捕獲部材設置部３０及び針金製の格子部１３０で構成されたカバー部材１２０に捕獲部材１０を配置するだけの簡単な構造を備えて低コストである。また、蜂の捕獲後において、捕獲部材１０を二つ折りにして確実に簡単に捕獲した蜂を処分することができる。更に、粘着面に捕獲された蜂に人が触れたり、粘着面が設置した建造物の壁等に触れたりすることを確実に防止することができる。
【００９３】
＜捕獲部材の変形例＞
本発明では、捕獲部材として他の形状のものを採用できる。図８は本発明に係る蜂捕獲具に使用する捕獲部材の変形例を示す斜視図である。
【００９４】
図８（ａ）に示す例は、捕獲部材１５０の捕獲部１５１を、横断面が捕集部１５２側が凹となる弧状としたものである。捕獲部１５１は、平板を湾曲形成して円筒の一部を形成するものとして形成している。また、捕集部１５２は平板状としている。本例によれば、捕獲部１５１が湾曲しているので、捕獲部１５１から横に逃げようとする蜂確実に捕獲できる。捕獲部材１５０は、捕獲部１５１及び捕集部１５２に粘着材を塗布して構成することができる他、捕獲部１５１だけに粘着材を塗布して構成することができる。
【００９５】
図８（ｂ）に示す例は、捕獲部材１６０の捕獲部１６１を、平板を複数の折曲線１６３で折り曲げて捕獲部１６１側が凹となるよう形成している。これにより、捕獲部１６１は、多角形筒の一部をなすように構成されている。また、捕集部１６２は平板状としている。本例によれば、捕獲部１７１が折曲形成されているので、蜂の粘着材への接着面積が増え、蜂を確実に捕獲できる。捕獲部材１６０は、捕獲部１６１及び捕集部１６２に粘着材を塗布して構成することができる他、捕獲部１６１だけに粘着材を塗布して構成することができる。本例によれば、捕獲部１６１が湾曲しているので、捕獲部１６１から横に逃げようとする蜂を確実に捕獲できる。
【００９６】
図８（ｃ）に示す例は、捕獲部材１７０の捕集部１７２を、縦断面が下に凸である弧状としたものである。捕集部１７２は、平板を湾曲して円筒の一部を形成するように形成することができる。また、捕集部１７２の両側端部には三日月形状の立壁部１７３、１７３を配置している。これにより、蜂が捕集部１７２の側部からこぼれるのを防止することができる。捕集部１７２は捕獲部１７１に対して鈍角α（α＞９０度）をなしている。なお、捕獲部１７１は平板状としている。捕獲部材１７０は、捕獲部１７１及び捕集部１７２に粘着材を塗布して構成することができる他、捕獲部１７１だけに粘着材を塗布して構成することができる。
【００９７】
図８（ｄ）に示す例は、捕獲部材１８０の捕獲部１８１、捕集部１８２を平板として形成している。本例では、捕集部１８２の４つの辺部のうち、捕獲部１８１に接しない３つの辺部に壁状の枠部１８３を形成している。枠部１８３は、捕集部１８２から蜂が落下するのを防止することができる。捕獲部材１８０は、捕獲部１７１及び捕集部１８２に粘着材を塗布して構成することができる他、捕獲部１８１だけに粘着材を塗布して構成することができる。
【００９８】
図８（ｅ）に示す例は、捕獲部材１９０の捕獲部１９１、捕集部１９２を平板として形成している。本例では、捕獲部１９１の両側端部にそれぞれ壁状の枠部１９３を立設してる。枠部１９３は、捕獲部１９１から横に逃げる蜂を阻止し、捕獲部１９１で確実に捕獲することができる。捕獲部材１９０は、捕獲部１９１及び捕集部１９２に粘着材を塗布して構成することができる他、捕獲部１９１だけに粘着材を塗布して構成することができる。
【００９９】
このように捕獲部材の形状は、蜂捕獲具の配置箇所や蜂の習性に応じて選択することができる。このため、蜂を確実に捕獲、捕集できる。
【産業上の利用可能性】
【０１００】
本発明に係る蜂捕獲具は、蜂の捕獲具として広く利用可能であり、産業上利用可能である。
【符号の説明】
【０１０１】
１０：捕獲部材
１０ａ：短辺
１０ｂ：短辺
１０ｃ：長辺
１０ｄ：長辺
１１：捕獲面 
１１Ａ：捕獲部
１１Ｂ：捕集部
１２：粘着面
１３：板状基材
１４ａ：折り返し部
１４ｂ：折り返し部
１４ｃ：折り返し部
１４ｄ：折り返し部
１５：折曲線
２０：蜂捕獲具
２１：カバー部材
３０：捕獲部材設置部
３１：背板部
３２：棚部
４０：枠部
４１〜５１：枠体
５５：吊り下げ部材
６１：左側開口部
６２：前側開口部
６３：右側開口部
６４：上側開口部
７０：蜂捕獲具
７１：カバー部材
８０：枠部
８１〜８７：枠体
８８：吊り下げ部材
９０：格子部
９１：左横線状部材
９２：上下線状部材
９３：上下線状部材
９４：右横線状部材
１０１：左側開口部
１０２：前側開口部
１０３：右側開口部
１１０：蜂捕獲具
１２０：カバー部材
１３０：格子部
１３１、１３２：左横線状部材
１３３、１３４：前横線状部材
１３５、１３６、１３７：上下方向線状部材
１３８、１３９：左横線状部材
１４１：左側開口部
１４２：前側開口部
１４３：右側開口部
１４４：吊り下げ部材
１５０：捕獲部材
１５１：捕獲部
１５２：捕集部
１６０：捕獲部材
１６１：捕獲部
１６２：捕集部
１６３：折曲線
１７０：捕獲部材
１７１：捕獲部
１７２：捕集部
１７３：立壁部
１８０：捕獲部材
１８１：捕獲部
１８２：捕集部
１８３：枠部
１９０：捕獲部材
１９１：捕獲部
１９２：捕集部
１９３：枠部
Ｏ：中央線
【図１】
2020048445.tif 000003
【図２】
2020048445.tif 000004
【図３】
2020048445.tif 000005
【図４】
2020048445.tif 000006
【図５】
2020048445.tif 000007
【図６】
2020048445.tif 000008
【図７】
2020048445.tif 000009
【図８】
2020048445.tif 000010